(57)【特許請求の範囲】
【請求項１】
経営が異なり、且つ、独自に営業ができる複数の駐車場を一括管理する複数駐車場管理装置であって、
上記複数の駐車場の夫々に入庫口と出庫口を設け、各駐車場の入庫口には、入庫車輌を検知すると入庫時刻を記録した駐車券を発行して入庫を許可する入庫管理装置を設け、各出庫口には、差込まれた駐車券から読取った入庫時刻に基づいて駐車時間と駐車料金を算出し、且つ、この算出した駐車料金が精算されると車輌の出庫を許可する出庫管理装置を設けることにより、各々の駐車場が独自に車輌の駐車を管理できるように構成すると共に、これ等各駐車場の間を車輌が往来できる専用の連絡通路で接続して、この連絡通路には移動する車輌の通過時刻を上記の駐車券に記録する通過時刻記録機を設け、上記各出庫口に設けた出庫管理装置には、上記の連絡通路を通って車輌を二つ又は二つ以上の駐車場に跨って駐車させた場合に、上記駐車券に記録されている入庫時刻を始めの駐車場の入庫時刻とする一方、上記の通過時刻を始めの駐車場の出庫時刻とし、且つ、次の駐車場への入庫時刻とすることによって、利用した各駐車場毎の駐車時間と駐車料金を夫々算出し、且つ、これ等各駐車料金の合計金額が一括精算されると車輌の出庫を許可する複数料金一括精算機能が具備されていることを特徴とする複数駐車場管理装置。
【請求項２】
経営が異なり、且つ、独自に営業ができる複数の駐車場を一括管理する複数駐車場管理装置であって、
上記複数の駐車場の夫々に入庫口と出庫口を設け各駐車場の入庫口には、入庫車輌を検知すると入庫時刻を記録した駐車券を発行して入庫を許可し、且つ、この入庫時刻と駐車券番号とから成る入庫情報をコンピューターシステムを用いた中央演算処理部に送って記録する入庫管理装置を設け、各出庫口には、差込まれた駐車券から読取った駐車券番号に基づいて上記の中央演算処理部から入庫時刻を呼び出し、この入庫時刻から駐車時間と駐車料金を算出し、且つ、この算出した駐車料金が精算されると車輌の出庫を許可する出庫管理装置を設けることにより、各々の駐車場が独自に車輌の駐車を管理できるように構成すると共に、これ等各駐車場の間を車輌が往来できる専用の連絡通路で接続して、この連絡通路には、上記駐車券の駐車券番号を読取って、この読取った駐車券番号と車輌の通過時刻とから成る通過情報を上記の中央演算処理部に送って記録する通過時刻記録機を設け、上記各出庫口に設けた出庫管理装置には、上記の連絡通路を通って車輌を二つ又は二つ以上の駐車場に跨って駐車させた場合に、上記駐車券から読取った駐車券番号に従って上記中央演算処理部から呼出した入庫時刻を始めの駐車場の入庫時刻とする一方、上記の通過時刻を始めの駐車場の出庫時刻とし、且つ、次の駐車場への入庫時刻とすることによって、利用した各駐車場毎の駐車時間と駐車料金を夫々算出し、且つ、これ等各駐車料金の合計金額が一括精算されると車輌の出庫を許可する複数駐車料金一括精算機能が具備されていることを特徴とする複数駐車場管理装置。
【請求項３】
経営が異なり、且つ、独自に営業ができる複数の駐車場を一括管理する複数駐車場管理装置であって、
上記複数の駐車場の夫々に入庫口と出庫口を設け、各駐車場の入庫口には、入庫車輌を検知するとカメラでナンバープレートを撮影して入庫を許可し、且つ、撮影したナンバープレートと入庫時刻とから成る入庫情報をコンピューターシステムを用いた中央演算処理部に送って記録する入庫管理装置を設け、各出庫口には、出庫車輌を検知すると、出庫車輌のナンバープレートをカメラで撮影し、この撮影データを上記の中央演算処理部に送ることによって当該車輌の入庫時刻を呼出し、この入庫時刻から駐車時間と駐車料金を算出し、且つ、この算出した駐車料金が精算されると車輌の出庫を許可する出庫管理装置を設けることにより、各々の駐車場が独自に車輌の駐車を管理できるように構成すると共に、これ等各駐車場の間を車輌が往来できる専用の連絡通路で接続して、この連絡通路には、通過移動する車輌のナンバープレートをカメラで撮影して、その撮影データと通過時刻とから成る通過情報を上記の中央演算処理部に送って記録する通過時刻記録装置を設け、上記各出庫口に設けた出庫管理装置には、上記の連絡通路を通って車輌を二つ又は二つ以上の駐車場に跨って駐車させた場合に、カメラが撮影した出庫車輌のナンバープレートに従って上記中央演算処理部から呼出した入庫時刻を始めの駐車場の入庫時刻とする一方、上記の通過時刻を始めの駐車場の出庫時刻とし、且つ、次の駐車場への入庫時刻とすることによって、利用した各駐車場毎の駐車時間と駐車料金を夫々算出し、且つ、これ等各駐車料金の合計金額が一括精算されると車輌の出庫を許可する複数駐車料金一括精算機能が具備されていることを特徴とする複数駐車場管理装置。
【請求項４】
各駐車場の出庫口に設けた出庫管理装置、又は、コンピューターシステムを用いた中央演算処理部のいずれかに、出庫管理装置が一括演算した複数駐車場の駐車料金を各駐車場毎に按分して、この按分した料金データを中央演算処理部の按分料金記憶部に呼出し可能な状態に記憶することができる駐車料金按分手段を具備せしめたことを特徴とする請求項１、２又は３記載の複数駐車場管理装置。
【請求項５】
コンピューターシステムを用いた中央演算処理部に、入庫管理装置と出庫管理装置から送られて来る入出庫情報に基づいて利用した各駐車場毎の駐車時間と駐車料金を算出する駐車料金演算手段を設けたことを特徴とする請求項２、３又は４記載の複数駐車場管理装置。
【発明の詳細な説明】
【０００１】
【発明の属する技術分野】
本発明は、車輌の入出庫と駐車料金の計算及び徴収を自動的に管理することができる駐車場管理装置の技術分野に属するものであって、具体的には、経営が異なる複数の駐車場の間を跨った状態で利用することを可能にした複数駐車場管理装置に関するものである。
【０００２】
【従来の技術】
従来より一般的に知られている駐車場管理装置は、例えば特開昭５９−１８６０６４号公報や同６０−７５９８５号公報等に見られるように、駐車場の入庫口に入庫時刻を記録した駐車券を発行する駐車券発行機を設け、出庫口には入庫時に発行された駐車券に記録されている入庫時刻と現在時刻とから駐車時間と駐車料金を算出して、この駐車料金の精算が済むと車輌の出庫を許可する出庫管理装置（自動料金精算機）を設けることによって、車輌の入出庫と駐車料金の計算及びその徴収を自動的に管理するように構成されている。
【０００３】
【発明が解決しようとする課題】
ところが、以上の如く構成した駐車場管理装置は、あくまでも上述した駐車券発行機と出庫管理装置を同一敷地内、又は、同一建物内に設けた同一駐車場（同一経営の駐車場）の入庫口と出庫口に設置して車輌の入出庫を管理するものであって、例えば、隣接し合う市営と公団の駐車場や、デパートとスーパーの駐車場の様に、経営が異なる二つ又は二つ以上の駐車場を買物や仕事等の関係で跨った状態で利用したい場合は、利用客は先ず今まで駐車していた駐車場から料金を精算して車輌を出庫させ、次いで、改めて隣接する駐車場に車輌を入庫させる必要があって、大変煩雑であった。
【０００４】
従って本発明の技術的課題は、経営が異なる隣接する二つ又は二つ以上の駐車場の間を車輌が自由に往来でき、而かも、夫々の駐車場を跨った状態で利用した場合に、夫々の駐車場に駐車していた駐車時間から駐車料金の計算を可能にして、いずれの駐車場から入庫及び出庫した場合でも、駐車料金を各駐車場毎に正しく按分できるように工夫した複数駐車場管理装置を提供することである。
【０００５】
【課題を解決するための手段】
上記の技術的課題を解決するために本発明で講じた手段は以下の如くである。
【０００６】
（１）  本発明の請求項１に係る複数駐車場管理装置は、経営が異なり、且つ、独自に営業ができる複数の駐車場を一括管理する複数駐車場管理装置であって、上記複数の駐車場の夫々に入庫口と出庫口を設け、各駐車場の入庫口には、入庫車輌を検知すると入庫時刻を記録した駐車券を発行して入庫を許可する入庫管理装置を設け、各出庫口には、差込まれた駐車券から読取った入庫時刻に基づいて駐車時間と駐車料金を算出し、且つ、この算出した駐車料金が精算されると車輌の出庫を許可する出庫管理装置を設けることにより、各々の駐車場が独自に車輌の駐車を管理できるように構成すると共に、これ等各駐車場の間を車輌が往来できる専用の連絡通路で接続して、この連絡通路には移動する車輌の通過時刻を上記の駐車券に記録する通過時刻記録機を設け、上記各出庫口に設けた出庫管理装置には、上記の連絡通路を通って車輌を二つ又は二つ以上の駐車場に跨って駐車させた場合に、上記駐車券に記録されている入庫時刻を始めの駐車場の入庫時刻とする一方、上記の通過時刻を始めの駐車場の出庫時刻とし、且つ、次の駐車場への入庫時刻とすることによって、利用した各駐車場毎の駐車時間と駐車料金を夫々算出し、且つ、これ等各駐車料金の合計金額が一括精算されると車輌の出庫を許可する複数料金一括精算機能が具備されていることを特徴としている。
【０００７】
（２）  本発明の請求項２に係る複数駐車場管理装置は、経営が異なり、且つ、独自に営業ができる複数の駐車場を一括管理する複数駐車場管理装置であって、上記複数の駐車場の夫々に入庫口と出庫口を設け各駐車場の入庫口には、入庫車輌を検知すると入庫時刻を記録した駐車券を発行して入庫を許可し、且つ、この入庫時刻と駐車券番号とから成る入庫情報をコンピューターシステムを用いた中央演算処理部に送って記録する入庫管理装置を設け、各出庫口には、差込まれた駐車券から読取った駐車券番号に基づいて上記の中央演算処理部から入庫時刻を呼び出し、この入庫時刻から駐車時間と駐車料金を算出し、且つ、この算出した駐車料金が精算されると車輌の出庫を許可する出庫管理装置を設けることにより、各々の駐車場が独自に車輌の駐車を管理できるように構成すると共に、これ等各駐車場の間を車輌が往来できる専用の連絡通路で接続して、この連絡通路には、上記駐車券の駐車券番号を読取って、この読取った駐車券番号と車輌の通過時刻とから成る通過情報を上記の中央演算処理部に送って記録する通過時刻記録機を設け、上記各出庫口に設けた出庫管理装置には、上記の連絡通路を通って車輌を二つ又は二つ以上の駐車場に跨って駐車させた場合に、上記駐車券から読取った駐車券番号に従って上記中央演算処理部から呼出した入庫時刻を始めの駐車場の入庫時刻とする一方、上記の通過時刻を始めの駐車場の出庫時刻とし、且つ、次の駐車場への入庫時刻とすることによって、利用した各駐車場毎の駐車時間と駐車料金を夫々算出し、且つ、これ等各駐車料金の合計金額が一括精算されると車輌の出庫を許可する複数駐車料金一括精算機能が具備されていることを特徴としている。
【０００８】
（３）  本発明の請求項３に係る複数駐車場管理装置は、経営が異なり、且つ、独自に営業ができる複数の駐車場を一括管理する複数駐車場管理装置であって、上記複数の駐車場の夫々に入庫口と出庫口を設け、各駐車場の入庫口には、入庫車輌を検知するとカメラでナンバープレートを撮影して入庫を許可し、且つ、撮影したナンバープレートと入庫時刻とから成る入庫情報をコンピューターシステムを用いた中央演算処理部に送って記録する入庫管理装置を設け、各出庫口には、出庫車輌を検知すると、出庫車輌のナンバープレートをカメラで撮影し、この撮影データを上記の中央演算処理部に送ることによって当該車輌の入庫時刻を呼出し、この入庫時刻から駐車時間と駐車料金を算出し、且つ、この算出した駐車料金が精算されると車輌の出庫を許可する出庫管理装置を設けることにより、各々の駐車場が独自に車輌の駐車を管理できるように構成すると共に、これ等各駐車場の間を車輌が往来できる専用の連絡通路で接続して、この連絡通路には、通過移動する車輌のナンバープレートをカメラで撮影して、その撮影データと通過時刻とから成る通過情報を上記の中央演算処理部に送って記録する通過時刻記録装置を設け、上記各出庫口に設けた出庫管理装置には、上記の連絡通路を通って車輌を二つ又は二つ以上の駐車場に跨って駐車させた場合に、カメラが撮影した出庫車輌のナンバープレートに従って上記中央演算処理部から呼出した入庫時刻を始めの駐車場の入庫時刻とする一方、上記の通過時刻を始めの駐車場の出庫時刻とし、且つ、次の駐車場への入庫時刻とすることによって、利用した各駐車場毎の駐車時間と駐車料金を夫々算出し、且つ、これ等各駐車料金の合計金額が一括精算されると車輌の出庫を許可する複数駐車料金一括精算機能が具備されていることを特徴としている。
【０００９】
（４）  本発明の請求項４に係る複数駐車場管理装置は、各駐車場の出庫口に設けた出庫管理装置、又は、コンピューターシステムを用いた中央演算処理部のいずれかに、出庫管理装置が一括演算した複数駐車場の駐車料金を各駐車場毎に按分して、この按分した料金データを中央演算処理部の按分料金記憶部に呼出し可能な状態に記憶することができる駐車料金按分手段を具備せしめたことを特徴としている。
【００１０】
（５）本発明の請求項５に係る複数駐車場管理装置は、コンピューターシステムを用いた中央演算処理部に、入庫管理装置と出庫管理装置から送られて来る入出庫情報に基づいて利用した各駐車場毎の駐車時間と駐車料金を算出する駐車料金演算手段を設けたことを特徴としている。
【００１１】
上記（１）で述べた請求項１に係る手段によれば、独自に車輌の入出庫管理と料金精算を行う機能を備えていて、単独にて営業ができる二つ又は二つ以上の駐車場の間を連絡通路で結んで車輌の往来を可能にすると共に、これ等隣接し合う駐車場を跨った状態で利用した場合には、入庫時刻と車輌が一方の駐車場から連絡通路を通って他方の駐車場に入る通過時刻、即ち、一方の駐車場からの出庫時刻と他方の駐車場への入庫時刻を駐車券に記録するため、出庫時に駐車券に記録されている上記の各データを読取ることによって、入庫から出庫に至るまでの駐車時間及び駐車時間のトータルを算出でき、また、各駐車場毎の駐車時間と駐車料金を算出できるため、各駐車場の利用状況とその料金収入を明確にすることを可能にする。
【００１２】
上記（２）で述べた請求項２に係る手段によれば、独自に車輌の入出庫管理と料金精算を行う機能を備えていて、単独にて営業ができる二つ又は二つ以上の駐車場の間を連絡通路で結んで車輌の往来を可能にすると共に、これ等隣接し合う駐車場を跨った状態で利用した場合には、入庫時刻と車輌が一方の駐車場から連絡通路を通って他方の駐車場に入る通過時刻、即ち、一方の駐車場からの出庫時刻と他方の駐車場への入庫時刻を駐車券を用いてその都度中央演算処理部に記録するため、出庫時に中央演算処理部に記録されている上記の各データを呼び出すことによって、入庫から出庫に至るまでの駐車時間及び駐車時間のトータルを算出でき、また、各駐車場毎の駐車時間と駐車料金を算出できるため、各駐車場の利用状況とその料金収入を明確にすることを可能にする。
【００１３】
上記（３）で述べた請求項３に係る手段によれば、独自に車輌の入出庫管理と料金精算を行う機能を備えていて、単独にて営業ができる二つ又は二つ以上の駐車場の間を連絡通路で結んで車輌の往来を可能にすると共に、これ等隣接し合う駐車場を跨った状態で利用した場合には、入庫時刻と車輌が一方の駐車場から連絡通路を通って他方の駐車場に入る通過時刻、即ち、一方の駐車場からの出庫時刻と他方の駐車場への入庫時刻を、その都度カメラで撮影したナンバープレートに関連ずけて中央演算処理部に記録するため、出庫時に中央演算処理部に記録されている上記の各データを呼び出すことによって、入庫から出庫に至るまでの駐車時間及び駐車時間のトータルを算出でき、また、各駐車場毎の駐車時間と駐車料金を算出できるため、各駐車場の利用状況とその料金収入を明確にすることを可能にする。
【００１４】
上記（４）で述べた請求項４に係る手段によれば、出庫時に算出した駐車料金を駐車時間に合せて各駐車場毎に按分して中央演算処理部の按分料金記憶部に記憶するため、駐車場毎に適正な駐車料金の徴収を可能にする。
【００１５】
上記（５）で述べた請求項５に係る手段によれば、コンピューターシステムを用いた中央演算処理部に、入庫から出庫に至る駐車時間と、その駐車料金を演算することができる駐車料金演算手段を具備せしめた関係で、各駐車場の出庫管理装置に駐車料金を演算するための手段を講じる必要が無くなるため、各駐車場に於ける出庫管理装置の簡略化と低コスト化を可能にする。
【００１６】
以上の如くであるから、上記（１）〜（５）の手段によって上述した技術的課題を解決して、前記従来の技術の問題点を解消することができる。
【００１７】
【発明の実施の形態】
以下に、本発明に係る複数駐車場管理装置の実施の形態を図面と共に説明すると、図１は駐車券ＴＣを用いて経営が異なる複数の駐車場、即ち、Ａ駐車場１とＢ駐車場２を管理できるように構成した本発明の構成図、図２は駐車券ＴＣに代えてカメラで撮影したナンバープレートの撮影データを用いて上記Ａ駐車場１とＢ駐車場２を管理できるように構成した本発明の構成図であって、これ等の図面に於いて、１Ｓと１ＴはＡ駐車場１の入庫通路と出庫通路、１１Ｓと１１ＴはＢ駐車場２の入庫通路と出庫通路で、符号３で全体的に示したのは上記のＡ駐車場１とＢ駐車場２の間を車輌が往来可能な状態に接続する専用の連絡通路を示す。
【００１８】
更に図中、４と５並びに１２と１３は、Ａ駐車場１とＢ駐車場２の各入庫通路１Ｓ，１１Ｓに設けた第１入庫車輌検知器と第２入庫車輌検知器を示し、また、６と７並びに１６と１７は両駐車場１，２の各出庫通路１Ｔ，１１Ｔに設けた第１出庫車輌検知器と第２出庫車輌検知器であって、これ等の各検知器４〜１７は例えばループコイル等のセンサーを用いて構成されている。
【００１９】
また、５Ｐと１５Ｐは各駐車場１，２の入庫通路１Ｓ，１１Ｓに設けた入口ゲートバー、９Ｐと１９Ｐは各駐車場１，２の出庫通路１Ｔ，１１Ｔに設けた出口ゲートバー、５′と１５並びに９と１９はこれ等各ゲートバー５Ｐ，１５Ｐと９Ｐ，１９Ｐを開閉作動するゲート作動機を示し、更に、図１に示した４′と１４は各駐車場１，２の入庫通路１Ｓ，１１Ｓに沿って設置した駐車券発行機で、図１と図２に夫々示した８と１８は各駐車場１，２の出庫通路１Ｔ，１１Ｔに沿って設置された自動料金精算機、８Ｐと１８Ｐはコンピューターシステムを用いて構成した各自動料金精算機８，１８の制御部、８Ａ（図１）は上記駐車券ＴＣの差込口、８Ｂと８Ｃは駐車料金（現金又はカード）の支払口と、駐車料金等の表示部であって、上記駐車券発行機４′と１４が入庫管理装置を構成し、また、上記自動料金精算機８と１８が出庫管理装置を構成している。
【００２０】
更に図１に於いて、１０は上記連絡通路３に設けた通過時刻記録機で、例えば磁気式、パンチ式、非接触式等の各種チケットリーダーを用いて構成したこの通過時刻記録機１０は、連絡通路３を通って車輌が今までとは異なる駐車場１又は２に向かって通過する場合に、上記駐車券ＴＣの差込みを受けて、請求項１に記載した発明ではその通過時刻を駐車券ＴＣに記録する一方、請求項２に記載の発明では、差込まれた駐車券ＴＣに通過時刻を記録すると同時に、この通過時刻と駐車券ＴＣから読取った駐車券番号から成る通過情報を、通信線Ｆ３を通してコンピューターシステム（パソコン等）を用いて構成した中央演算処理部ＰＣに送って、この通過情報を図３に示したメモリ３１に設けた通過時刻記憶部３１Ｃに記憶する仕組に成っている。
【００２１】
尚、図５は図１と図２に示した二つの駐車場１，２のいずれか一方のみを利用する通常利用の場合のパターン（１）と、二つの駐車場１，２を跨いだ状態で利用した場合のパターン（２）と（３）を示したものであって、利用客はこれ等各パターンのように車輌の入出庫を行うことになるが、図示したパターンは利用の一例を示したものであることは勿論である。
【００２２】
図１に示した駐車場管理装置に於いて、Ａ駐車場１又はＢ駐車場２の各第１入庫車輌検知器４，１４が入庫車輌を検知すると、入庫管理装置、即ち、駐車券発行機４′，１４が入庫時刻を記録した駐車券ＴＣを発行し、利用客がこの駐車券ＴＣを発行口から抜き取ると、ゲート作動機５′，１５が入口ゲート５Ｐ，１５Ｐを開いて車輌の入庫を可能とし、次いで、入庫する車輌を第２入庫車輌検知器５，１３が検知すると、上記のゲート作動機５′，１５が開いた入口ゲート５Ｐ，１５Ｐを閉じる仕組に成っているが、この時、請求項２に記載した発明では、発行された駐車券の番号と入庫時刻から成る入庫情報を上記の中央演算処理部ＰＣに送って、この入庫情報を図３に示したメモリ３１の駐車券番号記憶部３１Ａと入庫時刻記憶部３１Ｂに夫々関連付けて記憶する仕組に成っている。
【００２３】
更に図１に示した駐車場管理装置に於いて、Ａ駐車場１又はＢ駐車場２の各第１出庫車輌検知器６，１６が出庫車輌を検知すると、出庫管理装置、即ち、自動料金精算機８，１８のシャッターが開いて駐車券差込口８Ａへの駐車券ＴＣの差込みが可能となり、また自動料金精算機８，１８の制御部８Ｐ，１８Ｐは差込口８Ａに差込まれた駐車券ＴＣに記録されている各種データを読取って、請求項１に記載の発明では、駐車券ＴＣから読取った入庫時刻と通過時刻（一つの駐車場１又は２のみを利用した場合は記録がない）、並びに、現在時刻とから、入庫から出庫に至る駐車時間のトータルを算出して、通過時刻の記録がない通常利用の場合、要するに上記図５に示したパターン（１）のような通常駐車の場合は、算出された駐車時間に相当する駐車料金を計算してこれを表示器８Ｃに表示し、利用客がこの表示料金の精算を行うと、ゲート作動機９，１９が出口ゲート９Ｐ，１９Ｐを開いて車輌の出庫を許可し、次いで、第２車輌検知器７，１７が出庫する車輌を検知すると、上記出口ゲート９Ｐ，１９Ｐを閉じて出庫処理を完了する仕組に成っている。
【００２４】
また、上記駐車券ＴＣから読取ったデータに通過時刻の記録がある場合、即ち、図５に示したパターン（２），（３）に示すように二つ又は二つ以上の駐車場１，２の間を跨いで駐車したような場合は、先ず、入庫から出庫に至る駐車時間のトータルを算出し、次いで、各駐車場１，２毎の入庫から出庫に至るまでの駐車時間を夫々算出して、上記トータル時間に相当する駐車料金を表示器８Ｃに表示して利用客に精算を促す一方、各駐車場１，２毎の駐車料金を計算して、駐車場１，２毎に按分された駐車料金のデータを通信線Ｆ１或はＦ２を通して中央演算処理部ＰＣに送って、これを図３に示したメモリ３１の按分料金記憶部３１Ｅに記憶し、更に、必要に応じて出庫時刻も出庫時刻記憶部３１Ｄに記憶する。
【００２５】
以上の如く、請求項１に記載した発明では、入出庫の各データと連絡通路３を通過した通過データの全てを駐車券ＴＣに記録して、出庫時にこの駐車券ＴＣに記録されている各データを読取って、駐車料金の算出や、各駐車場１，２の利用に関する按分データの算出を行うが、請求項２に記載の発明では、入庫時刻や通過時刻の情報を全て中央演算処理部ＰＣのメモリ３１に一旦記憶して、駐車料金の計算や、各駐車場１，２を跨いで利用した場合の駐車料金の按分処理を、上記のメモリ３１に記憶されているデータを呼出して行うように構成されている。
【００２６】
尚、図３に示したメモリ３１には各記憶部３１Ａ〜３１Ｅが夫々独立した状態に設けられているが、これは各記憶部の存在を明確にするために便宜的に示したものであって、入庫時に決まる駐車番号毎に造られる各フアイルにこれ等各記憶部３１Ａ〜３１Ｅ用のフアイル部が設けられていて、各データがこれ等フアイル部に順次書き込まれる仕組に成っている。
【００２７】
更に図３に示したブロック図には、駐車料金演算手段３０Ａと駐車料金按分手段３０Ｂを中央演算処理部ＰＣの制御部３０に設けることによって、各駐車場１，２の出庫通路１Ｔ，１１Ｔに設ける出庫管理装置８，１８の負担を軽減し、その構成を簡略化しているが、これ等の演算手段３０Ａと按分手段３０Ｂを各出庫管理装置８，１８の制御部８Ｐ，１８Ｐに搭載するようにしてもよく、その選択は任意とする。
【００２８】
上記請求項１と２に記載されている本発明は、いずれも入庫時に発行された駐車券ＴＣと通過時刻記録機１０を用いて、車輌の入出庫管理と駐車料金の按分処理を行っているが、図２に示した請求項３に係る発明では、上記の駐車券ＴＣと通過時刻記録機１０を使用せずに、各駐車場１，２の入庫通路１Ｓ，１１Ｓと出庫通路１Ｔ，１１Ｔ、並びに、両駐車場１，２を結ぶ連絡通路３の夫々に、入出庫及び通過する車輌のナンバープレート或はそのイメージを撮影するカメラ１Ｘ，２Ｘ，１Ｙ，２Ｙ、及び、３Ｘ，３Ｙを設けて、これ等のカメラが撮影したナンバープレートの画像データと、撮影時の時刻データとによって上述した車輌の入出庫管理と、駐車料金の按分処理を行う仕組に成っている。
【００２９】
即ち、各駐車場１，２の入庫通路１Ｓと１１Ｓに設けたカメラ１Ｘ，２Ｘは、第１入庫車輌検知器４，１２が入庫車輌を検知すると、この車輌のナンバープレートを撮影して、その画像データを通信線Ｆ４並びにＦ１１を通して各認識装置２１，２３に送り、また、これ等認識装置２１，２３は受取ったナンバープレートの番号又はそのパターンを認識すると共に、認識した番号又はパターンと撮影した時刻とを入庫情報として通信線Ｆ６並びにＦ１３を通して中央演算処理部ＰＣに送って、これ等の情報を図４に示したメモリ３１に設けた各記憶部３１Ｐ，３１Ｂに記憶するように構成されている。
【００３０】
更に、連絡通路３に設けたカメラ３Ｘ，３Ｙは、この連絡通路３を通過する車輌のナンバープレートを撮影して、その画像データを通信線Ｆ８，Ｆ９を通して認識装置２２に送り、また、この画像データを受取った認識装置２２はナンバープレートの番号又はそのパターンを認識すると共に、認識した番号と撮影した時刻とを通過情報として通信線Ｆ１０を通して中央演算処理部ＰＣに送って、これ等の情報をメモリ３１に設けた記憶部３１Ｃに記憶するように構成されている。
【００３１】
次に、各駐車場１，２の出庫通路１Ｔ，１１Ｔに設けたカメラ１Ｙと２Ｙは、第１出庫車輌検知器６，１６が出庫車輌を検知すると、この車輌のナンバープレートを撮影して、その画像データを通信線Ｆ５並びにＦ１２を通して各認識装置２１，２３に送り、また、この画像データを受取った認識装置２１，２３は受取ったナンバープレートの番号又はそのパターンを認識すると共に、認識した番号又はパターンと撮影した時刻とを出庫情報として通信線Ｆ６，Ｆ１３を通して中央演算処理部ＰＣに送って、これ等の情報を図４に示したメモリ３１に設けた記憶部３１Ｄに記憶する仕組に成っている。
【００３２】
以上の如く各情報を受け取った中央演算処理部ＰＣは、図４に示すように自身の制御部３０に駐車料金演算手段３０Ａと駐車料金按分手段３０Ｂを具備している場合、上述した各情報に基づいて駐車料金演算手段３０Ａが入庫から出庫までの駐車時間とその駐車料金を演算し、この料金データを出庫管理装置、即ち、自動料金精算機８又は１８に送ってこれを表示器８Ｃ，１８Ｃに表示し、利用客に料金の精算を促す一方、自動料金精算機８，１８は料金の精算が完了するとゲート作動機９，１９に出口ゲート９Ｐ，１９Ｐを開けさせて、車輌の出庫を可能にする。
【００３３】
一方、中央演算処理部ＰＣが受取った情報に通過情報が含まれている場合、即ち、例えば図５に示したパターン（２）と（３）に示すように二つ又は二つ以上の駐車場に跨って駐車している場合は、上記駐車料金按分手段３０Ｂが各駐車場１，２毎の入庫から出庫に至るまでの駐車時間とその料金を按分計算して、これ等駐車場１，２毎に按分された利用時間と利用料金のデータをメモリ３１の按分料金記憶部３１Ｅに記憶する。
【００３４】
尚、上記駐車料金演算出庫手段３０Ａと駐車料金按分出庫手段３０Ｂが上述した自動料金精算機８，１８の各制御部８Ｐ，１８Ｐに具備されている場合は、車輌の出庫に際して各データが中央演算処理部ＰＣから各自動料金精算機８，１８の制御部８Ｐ，１８Ｐに通信線Ｆ７，Ｆ１４を通して送られ、演算処理後は各駐車場１，２毎に按分された駐車時間と料金の各データが上記の通信線Ｆ７，Ｆ１４を通して中央演算処理部ＰＣに送られて、記憶部３１Ｅに記憶される。
【００３５】
また、図４に示したメモリ３１に記載した各記憶部３１Ｐ〜３１Ｅの形態は、図３に示したものと同様に便宜的なものであることは前述の如くである。
【００３６】
図６、図７、図８は、本発明に係る複数駐車場管理装置の処理動作を説明したフローチャートであって、図６に示したステップＳ１〜Ｓ８に示した各処理は、図２並びに図３に示した装置、即ち、請求項２と３に示した本発明の装置を用いて、図５のパターン（１）に示した通常利用の入出庫管理を行う場合の処理動作を順を追って説明したものであり、また、図７に示したステップＳ１０〜Ｓ２１に示した各処理は、同じく請求項２と３に示した本発明の装置を用いて、図５のパターン（２）に示した複数駐車場利用（Ａ駐車場→Ｂ駐車場）の入出庫管理を行う場合の処理動作を順を追って説明したものであり、更に、図８に示したステップＳ３０〜Ｓ４３に示した各処理は、同じく請求項２と３に示した本発明の装置を用いて、図５のパターン（３）に示した複数駐車場利用（Ａ駐車場→Ｂ駐車場→Ａ駐車場）の入出庫管理を行う場合の処理動作を順を追って説明したものである。
【００３７】
而して図中、ＰＴは中央演算処理部ＰＣのメモリ３１に格納されている按分データ等を、必要に応じてプリントアウトすることができる印字装置である。
【００３８】
【発明の効果】
以上述べた次第で、本発明に係る複数駐車場管理装置によれば、互いに隣接する駐車場に対して車輌を移動して駐車する場合、従来はいちいち夫々の駐車場で駐車料金を精算しなければ移動できなかったものを、専用の連絡通路を通って自在に移動でき、而かも、車輌の入庫と出庫はいずれの駐車場からも可能であり、且つ、駐車料金は入庫から出庫に至るまでトータルされて算出されるため、利用客にとって大変便利であると共に、駐車場経営者にとっても駐車料金が按分された状態で記録されるため、徴収した料金を後日公平に分けることができる利点を備えるものであって、複数の駐車場を連続利用できるので駐車場周辺の混雑を緩和できる点と相俟って、経営が異なる二つ又は二つ以上の駐車場を有効に利用できる特徴を備えている。
【図面の簡単な説明】
【図１】  本発明に係る複数駐車場管理装置の一例を示した構成図である。
【図２】  本発明に係る複数駐車場管理装置の他の例を示した構成図である。
【図３】  駐車券を用いて制御する場合に使用される中央演算処理部の構成を説明したブロック図である。
【図４】  カメラが撮影したナンバープレートを用いて制御する場合に使用される中央演算処理部の構成を説明したブロック図である。
【図５】  駐車のパターンを説明した説明図である。
【図６】  図５のパターン（１）に示された通常駐車の場合に於ける処理手順を説明したフローチャートである。
【図７】  図５のパターン（２）に示された複数駐車の場合に於ける処理手順を説明したフローチャートである。
【図８】  図５のパターン（３）に示された複数駐車の場合に於ける処理手順を説明したフローチャートである。
【符号の説明】
１，２            駐車場
１Ｓ，１１Ｓ      入庫通路
１Ｔ，１１Ｔ      出庫通路
３                連絡通路
４′，１４        駐車券発行機（入庫管理装置）
８，１８          自動料金精算機（出庫管理装置）
１０              通過時刻記録機
１Ｘ，１Ｙ，２Ｘ，２Ｙ，３Ｘ，３Ｙ            カメラ
ＰＣ              中央演算処理部
３１              メモリ
ＴＣ              駐車券
【図１】
0003704446.tif 000002
【図２】
0003704446.tif 000003
【図３】
0003704446.tif 000004
【図４】
0003704446.tif 000005
【図５】
0003704446.tif 000006
【図６】
0003704446.tif 000007
【図７】
0003704446.tif 000008
【図８】
0003704446.tif 000009